(57)【要約】【課題】外光に対する遮光性能を向上させた車両用ヘッドアップディスプレイ装置を提供する。【解決手段】本発明の車両用ヘッドアップディスプレイ装置１は、液晶表示部１０を備え、液晶表示部１０からの表示光Ｘを車両ＶのウインドシールドＹで反射させ、ウインドシールドＹで反射した表示光Ｘを車両Ｖの操作者Ｍの眼球に入射させることで、操作者Ｍに虚像を視認させ、ウインドシールドＹに入射する表示光Ｘの透過光Ｘ’の光路上に、透過光Ｘ’とは逆方向に進行する外光αを遮蔽する遮蔽部材３０を備える。【選択図】図１
2017128196.tif 000002
【特許請求の範囲】
【請求項１】
液晶表示部を備え、前記液晶表示部からの表示光を車両のウインドシールドで反射させ、前記ウインドシールドで反射した表示光を前記車両の操作者の眼球に入射させることで、前記操作者に虚像を視認させる車両用ヘッドアップディスプレイ装置であって、
前記ウインドシールドに入射する前記表示光の透過光の光路上に、前記透過光とは逆方向に進行する外光を遮蔽する遮蔽部材を備える、
車両用ヘッドアップディスプレイ装置。
【請求項２】
前記遮蔽部材は、前記ウインドシールドを透過して前記ウインドシールドで反射した前記表示光に沿って進行する外光を透過する、
請求項１に記載の車両用ヘッドアップディスプレイ装置。
【請求項３】
前記遮蔽部材は、前記ウインドシールドの水平面に対する傾斜角をθ１、前記ウインドシールドで反射して前記操作者の眼球へ向かう前記表示光の水平面に対する角度をθ２とするとき、前記表示光の入射面内において前記透過光の進行方向側から前記ウインドシールドに入射角θ＝π／２−（θ１−θ２）で入射する外光を遮蔽する、
請求項１又は２に記載の車両用ヘッドアップディスプレイ装置。
【請求項４】
前記遮蔽部材は、前記表示光の入射面内において前記虚像側から前記ウインドシールドに入射角θ’＝π／２−（θ１−θ２）で入射する外光を透過する、
請求項３に記載の車両用ヘッドアップディスプレイ装置。
【請求項５】
前記遮蔽部材は、前記ウインドシールドに配置される、請求項１から４の何れか一項に記載の車両用ヘッドアップディスプレイ装置。
【請求項６】
前記ウインドシールドは、２枚以上の部材からなる積層体を含み、
前記遮蔽部材は、前記積層体の間に配置される、
請求項５に記載の車両用ヘッドアップディスプレイ装置。
【請求項７】
前記表示光が入射する前記ウインドシールドの表面に配置される高反射率部材をさらに備える、請求項１から６の何れか一項に記載の車両用ヘッドアップディスプレイ装置。
【発明の詳細な説明】
【技術分野】
【０００１】
本発明は、車両用ヘッドアップディスプレイ装置に関する。
【背景技術】
【０００２】
従来、液晶表示部からの表示光を車両のウインドシールドで反射させ、その反射した表示光を車両の操作者の眼球に入射させることで、車両の操作者に虚像を視認させる車両用ヘッドアップディスプレイ装置が知られている。
【０００３】
このような車両用ヘッドアップディスプレイ装置では、ウインドシールドを透過して液晶表示部に入射する太陽光線等の外光によって、例えば液晶表示部の温度が上昇し、性能が劣化するおそれがあった。
【０００４】
そこで、外光による液晶表示部の性能劣化を抑制するために、液晶表示部を構成する液晶セルの前側（表示光が射出される側）に設けられた偏光部材と略同じ方向の偏光方向を有する反射型偏光フィルムを、液晶表示部の前側に設ける技術が提案されている（例えば、特許文献１参照）。これにより、液晶表示部からの表示光を遮ることなく、外光の液晶表示部への入射をある程度防止することができる。
【先行技術文献】
【特許文献】
【０００５】
【特許文献１】特開２０００−１３１６８２号公報
【発明の概要】
【発明が解決しようとする課題】
【０００６】
しかしながら、特許文献１に開示された技術では、外光のうち反射型偏光フィルムが透過する偏光成分については液晶表示部への入射を遮ることができず、更なる遮光性能の向上が望まれている。
【０００７】
上記のような課題に鑑みてなされた本発明の目的は、外光に対する遮光性能を向上させた車両用ヘッドアップディスプレイ装置を提供することにある。
【課題を解決するための手段】
【０００８】
上記した課題を解決すべく、本発明の実施形態に係る車両用ヘッドアップディスプレイ装置は、液晶表示部を備え、前記液晶表示部からの表示光を車両のウインドシールドで反射させ、前記ウインドシールドで反射した表示光を前記車両の操作者の眼球に入射させることで、前記操作者に虚像を視認させる車両用ヘッドアップディスプレイ装置であって、前記ウインドシールドに入射する前記表示光の透過光の光路上に、前記透過光とは逆方向に進行する外光を遮蔽する遮蔽部材を備える。
【発明の効果】
【０００９】
本発明の実施形態に係る車両用ヘッドアップディスプレイ装置によれば、外光に対する遮光性能を向上させることができる。
【図面の簡単な説明】
【００１０】
【図１】本発明の一実施形態に係る車両用ヘッドアップディスプレイ装置の概略構成を示す側面図である。
【図２】表示光と、遮蔽部材が遮蔽する外光と、遮蔽部材が透過する外光との関係を示す概略図である。
【図３】遮蔽部材の構成の一例を示す拡大図である。
【発明を実施するための形態】
【００１１】
以下、諸図面を参照しながら、本発明の実施形態を詳細に説明する。
【００１２】
本発明の一実施形態に係る車両用ヘッドアップディスプレイ装置１は、図１に示すように、液晶表示部１０と、投影光学系２０と、遮蔽部材３０とを備える。
【００１３】
液晶表示部１０及び投影光学系２０は、筐体５に格納され、筐体５は、車両Ｖのダッシュボード等に収容される。液晶表示部１０は、表示光Ｘを、投影光学系２０を経て筐体５の外部に射出する。表示光Ｘは車両ＶのウインドシールドＹで反射し、反射した表示光Ｘは車両Ｖの操作者Ｍ（運転手等）の眼球に入射する。このように、表示光Ｘが操作者Ｍの眼球に入射することで、操作者Ｍに視認可能な虚像ＺがウインドシールドＹの前方の所定の位置に生成される。
【００１４】
液晶表示部１０は、光源１１と、液晶パネル１２と、照明光学系１３とを備える。
【００１５】
光源１１は、照明光を発光する部材であり、例えば白色光を射出する一つ又は複数のＬＥＤ（Light Emitting Diode：発光ダイオード）が配置されて構成される。光源１１から射出される照明光は、照明光学系１３を経て液晶パネル１２に照射される。
【００１６】
液晶パネル１２は、透過型の液晶パネルであり、例えば、偏光フィルタ、ガラス基板、透明電極、配向膜、液晶表示素子、カラーフィルタ等を備える。液晶パネル１２は、光源１１から照明光学系１３を経て照明光が照射されると、透過光を表示光Ｘとして射出する。ここで、表示光Ｘは、液晶パネル１２によって表示されるカラー画像からなる光であり、液晶パネル１２に表示される画像を変化させることで、表示光Ｘも変化させることができる。
【００１７】
照明光学系１３は、光源１１と液晶パネル１２との間に配置される。照明光学系１３は、例えばレンズや拡散板等から構成され、光源１１からの照明光を液晶パネル１２に入射させる。
【００１８】
投影光学系２０は、例えば凹面鏡等からなるミラーを有し、液晶表示部１０からの表示光Ｘを反射して、表示光ＸをウインドシールドＹの方向に拡大して射出する。ここで、図１には投影光学系２０が２つのミラーを有する場合を例示したが、ミラーの個数は限定されない。
【００１９】
遮蔽部材３０は、所定の入射角で入射する太陽光等の外光を遮蔽し、好ましくは反射する部材であり、ウインドシールドＹに入射する表示光Ｘの透過光路上に配置される。遮蔽部材３０は、本例では、ウインドシールドＹに配置される。より詳細には、後述するようにウインドシールドＹが２枚以上の部材からなる積層体を含み、遮蔽部材３０はその積層体の間に挟み込まれるようにして配置されるシート状の部材である。なお、遮蔽部材３０が遮蔽する外光の入射角の詳細については後述する。
【００２０】
ウインドシールドＹは、車両Ｖの前方に設けられて車両Ｖの内部と外部とを区画するガラス等の部材であり、通常、２枚以上の部材が貼り合わされた積層体で構成される。ウインドシールドＹは、投影光学系２０から照射される表示光Ｘの少なくとも一部を操作者Ｍの眼球の方向に反射させる。
【００２１】
車両用ヘッドアップディスプレイ装置１は、図１に示すように、高反射率部材４０をさらに備えてもよい。高反射率部材４０は、表示光ＸをウインドシールドＹよりも高い反射率で反射する部材であり、例えば表示光Ｘが入射する側のウインドシールドＹの表面を被覆するように配置される。車両用ヘッドアップディスプレイ装置１は、高反射率部材４０を備えることで、表示光Ｘをより高い反射率で反射させ、より高輝度な虚像Ｚを操作者Ｍに視認させることができる。
【００２２】
図２は、表示光Ｘと、遮蔽部材３０が遮蔽する外光αと、遮蔽部材３０が透過する外光βとの関係を示す概略図である。ここで、表示光Ｘと外光αと外光βとを実線で示し、ウインドシールドＹに入射する表示光Ｘの透過光Ｘ’と遮蔽部材３０により遮蔽される外光αの延長線とを一点鎖線で示し、水平面とウインドシールドＹへの垂線とを破線で示している。図２では、図面を簡単にするため、表示光Ｘ、外光α及び外光βと、それらの透過光を、ウインドシールドＹや遮蔽部材３０による屈折を無視して直線で示している。また、高反射率部材４０の図示を省略している。また、車両Ｖは、水平面に載置されているとする。
【００２３】
図２において、ウインドシールドＹの水平面に対する傾斜角をθ１とし、ウインドシールドＹで反射して操作者Ｍの眼球へ向かう表示光Ｘの水平面に対する角度をθ２とする。ここで、θ２は、ウインドシールドＹで反射後の表示光Ｘが水平面よりも上方に向かう場合を正とする。
【００２４】
遮蔽部材３０は、外光αを遮蔽する。ここで、外光αは、ウインドシールドＹに入射する表示光Ｘの透過光Ｘ’とは逆方向に進行する、車両Ｖ外部からの太陽光等の光である。より詳細には、外光αは、ウインドシールドＹにおける表示光Ｘの入射光と反射光とを含む入射面内において透過光Ｘ’の進行方向側からウインドシールドＹに入射角θで入射する外光である。入射角θは、θ１及びθ２を用いて、θ＝π／２−（θ１−θ２）と表される。すなわち、遮蔽部材３０は、外光αが、ウインドシールドＹを透過して、表示光Ｘと逆方向かつ平行に進行し、投影光学系２０を経て液晶表示部１０に入射するのを抑制するものである。
【００２５】
このように、遮蔽部材３０は、液晶表示部１０に入射する外光αを遮蔽するので、車両用ヘッドアップディスプレイ装置１の外光に対する遮光性能を向上させることができる。
【００２６】
また、遮蔽部材３０は、外光βを透過する。ここで、外光βは、ウインドシールドＹを透過して、ウインドシールドＹで反射した表示光Ｘに沿って進行する外光である。より詳細には、遮蔽部材３０は、表示光Ｘの入射面内において虚像Ｚ側からウインドシールドＹに入射角θ’で入射する外光βを透過する。入射角θ’は、θ１及びθ２を用いて、θ’＝π／２−（θ１−θ２）で表される。すなわち、遮蔽部材３０は、外光βが、ウインドシールドＹを透過して、ウインドシールドＹで反射後の表示光Ｘと同方向かつ平行に進行し、操作者Ｍの眼球に入射するのを妨げないものである。
【００２７】
このように、遮蔽部材３０は、操作者Ｍが虚像Ｚを視認する方向から入射する外光βを透過するので、操作者Ｍが虚像Ｚを視認しつつ、虚像Ｚと同じ方向から車両Ｖの外部を視認することができる。
【００２８】
なお、遮蔽部材３０が外光αを遮蔽するとは、外光αとは異なる入射角で入射する外光よりも、外光αを良く遮蔽することを意味し、外光αを完全に遮蔽することを必ずしも要しない。また、遮蔽部材３０が外光βを透過するとは、外光βとは異なる入射角で入射する外光よりも、外光βを良く透過することを意味し、外光βを完全に透過することを必ずしも要しない。
【００２９】
図３は、遮蔽部材３０の構成の一例を示す拡大図である。ここで、図３において、実線及び一点鎖線が示すものは図２と同様であり、図２と同様に図面を簡略化して示している。
【００３０】
遮蔽部材３０は、図３に示すように、例えば所定の厚みの複数の層からなる積層構造を有し、各層同士の境界面に入射する光を遮蔽する構成としてもよい。そして、遮蔽部材３０は、外光αが層同士の境界面に入射し、外光βが層同士の境界面に入射しないような角度で積層構造を構成する。このような構成とすることで、遮蔽部材３０は、外光αを遮蔽し、かつ、外光βを透過することができる。
【００３１】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００３２】
また、車両用ヘッドアップディスプレイ装置１は、遮蔽部材３０がウインドシールドＹの積層体の間に挟み込まれるようにして配置される構成としたが、このような構成には限定されず、例えば遮蔽部材３０がウインドシールドＹの表面に配置されていてもよい。さらに、遮蔽部材３０は、ウインドシールドＹに配置されていなくてもよく、表示光Ｘの透過光路上の任意の箇所に配置されていればよい。
【００３３】
また、車両用ヘッドアップディスプレイ装置１は、遮蔽部材３０が外光βを透過する構成としたが、このような構成には限定されず、外光βを遮蔽してもよい。
【符号の説明】
【００３４】
１  車両用ヘッドアップディスプレイ装置
５  筐体
１０  液晶表示部
１１  光源
１２  液晶パネル
１３  照明光学系
２０  投影光学系
３０  遮蔽部材
４０  高反射率部材
Ｍ  操作者
Ｖ  車両
Ｘ  表示光
Ｘ’  ウインドシールドに入射する表示光の透過光
Ｙ  ウインドシールド
Ｚ  虚像
α  遮蔽部材が遮蔽する外光
β  遮蔽部材が透過する外光
θ  遮蔽部材が遮蔽する外光の入射角
θ’  遮蔽部材が透過する外光の入射角
θ１  ウインドシールドの水平面に対する傾斜角
θ２  操作者の眼球へ向かう表示光の水平面に対する角度
【図１】
2017128196.tif 000003
【図２】
2017128196.tif 000004
【図３】
2017128196.tif 000005